(57)【要約】【課題】干渉を軽減することによってスループットや各端末装置の通信機会の向上が可能な基地局装置、端末装置及び通信方法を提供すること。【解決手段】本発明の端末装置は、自装置宛ての送信信号の多重状態に関する情報と、再送状態に関する情報を受信する機能と、基地局装置が自装置宛ての送信信号と他の端末装置宛ての送信信号の少なくとも一部を同一無線リソースにて非直交多重して送信した非直交多重信号を受信する機能と、前記自装置宛ての送信信号の多重状態に関する情報と、前記自装置宛ての送信信号の再送状態に関する情報に基づいて、復調処理を行う機能を備える。【選択図】図２
2018064127.tif 000002
【特許請求の範囲】
【請求項１】
基地局装置と通信を行なう端末装置であって、
自装置宛ての送信信号の多重状態に関する情報と、自装置宛ての送信信号の再送状態に関する情報を受信する機能と、前記基地局装置が自装置宛ての送信信号と他の端末装置宛ての送信信号の少なくとも一部を同一無線リソースにて非直交多重して送信した非直交多重信号を受信する機能を備える受信部と、
前記自装置宛ての送信信号の多重状態に関する情報と、前記自装置宛ての送信信号の再送状態に関する情報に基づいて、復調処理を行う復調部と、を備える端末装置。
【請求項２】
前記送信信号の多重状態に関する情報は、伝送モードであり、
前記復調部は、前記伝送モードが所定の伝送モードの場合、前記自装置宛ての送信信号の再送状態に関する情報に基づいて復調処理を行なう、請求項１に記載の端末装置。
【請求項３】
前記所定の伝送モードは、前記非直交多重信号を受信可能な伝送モードである、請求項２に記載の端末装置。
【請求項４】
前記復調部は、
前記伝送モードが前記非直交多重信号を受信可能な伝送モードを示し、かつ前記自装置宛ての送信信号の再送状態に関する情報が、前記自装置宛ての送信信号が初送信号であることを示すときのみ、前記非直交多重信号に対して、干渉抑圧を行なう、請求項３に記載の端末装置。
【請求項５】
前記自装置宛ての送信信号の多重状態に関する情報は、前記基地局装置が自装置宛ての送信信号に用いたラベリング方法を示す情報であり、
前記復調部は、前記ラベリング方法を示す情報が、所定のラベリング方法を示す場合、前記自装置宛ての送信信号の再送状態に関する情報に基づいて、前記非直交多重信号に対して、干渉抑圧を行なうか否かを切り替える、請求項１に記載の端末装置。
【請求項６】
前記基地局装置は、複数のラベリング方法を、前記自装置宛ての送信信号に選択的に用いることが可能であり、
前記復調部は、前記自装置宛ての送信信号の多重状態に関する情報に基づいて、前記送信信号に施されたラベリング方法を取得する、請求項１に記載の端末装置。
【請求項７】
前記自装置宛ての送信信号の再送状態に関する情報は、ＮＤＩ（ニューデータインディケータ）であり、
前記復調部は、前記ＮＤＩが、前記自装置宛ての送信信号が再送信号であることを示す場合、前記自装置宛ての送信信号に対して、前記基地局装置が、前記他の端末装置宛ての送信信号を非直交多重していないものとして復調処理を行なう、請求項１から請求項６の何れか１項に記載の端末装置。
【請求項８】
前記自装置宛ての送信信号の再送状態に関する情報は、ＲＶ（リダンダンシーバージョン）であり、
前記復調部は、前記ＲＶが、前記送信信号にシステマティックビットが最も多く含まれることを示す値以外であった場合、前記自装置宛ての送信信号に対して、前記基地局装置が、前記他の端末装置宛ての送信信号を非直交多重していないものとして復調処理を行なう、請求項１から請求項６の何れか１項に記載の端末装置。
【請求項９】
前記復調部は、自装置宛ての送信信号が再送信号であった場合、前記基地局装置より通知される前記再送信号の送信電力に関する情報を用いて、復調処理を行なう、請求項１から請求項６の何れか１項に記載の端末装置。
【請求項１０】
複数の端末装置と通信を行なう基地局装置であって、
前記複数の端末装置宛ての送信信号の少なくとも一部を同一無線リソースにて非直交多重した非直交多重信号を生成する機能を備えた変調部を備え、
前記変調部は、前記複数の端末装置宛ての送信信号の多重状態に関する情報と、前記複数の端末装置宛ての送信信号の再送状態に関する情報に基づいて、前記複数の端末装置宛ての送信信号を非直交多重するか否かを切り替える基地局装置。
【請求項１１】
前記送信信号の多重状態に関する情報は、伝送モードであり、
前記変調部は、前記伝送モードが所定の伝送モードの場合、前記複数の端末装置宛ての送信信号の再送状態に関する情報に基づいて、前記複数の端末装置宛ての送信信号を非直交多重するか否かを切り替える、請求項１０に記載の基地局装置。
【請求項１２】
前記所定の伝送モードは、前記非直交多重信号を送信可能な伝送モードである、請求項１１に記載の基地局装置。
【請求項１３】
前記変調部は、
前記伝送モードが前記非直交多重信号を送信可能な伝送モードを示し、かつ前記複数の端末装置宛ての送信信号の再送状態に関する情報が、前記複数の端末装置宛ての送信信号の少なくとも一つが初送信号であることを示すときのみ、前記複数の端末装置宛ての送信信号を非直交多重する請求項１２に記載の基地局装置。
【請求項１４】
前記複数の端末装置宛ての送信信号の多重状態に関する情報は、前記変調部が複数の端末装置宛ての送信信号に用いたラベリング方法を示す情報であり、
前記変調部は、前記ラベリング方法を示す情報が、所定のラベリング方法を示す場合、前記複数の端末装置宛ての送信信号の再送状態に関する情報に基づいて、前記複数の端末装置宛ての送信信号を非直交多重するか否かを切り替える、請求項１０に記載の基地局装置。
【請求項１５】
前記変調部は、複数のラベリング方法を、前記自装置宛ての送信信号に選択的に用いることが可能であり、前記複数の端末装置宛ての送信信号の再送状態に関する情報に基づいて、前記複数のラベリング方法を切り替える、請求項１０に記載の基地局装置。
【請求項１６】
前記複数の端末装置宛ての送信信号の再送状態に関する情報は、ＮＤＩ（ニューデータインディケータ）であり、
前記変調部は、前記複数の端末装置宛ての送信信号の少なくとも１つに設定された前記ＮＤＩが、再送信号であることを示す値であった場合、前記複数の端末装置宛ての送信信号を非直交多重しない、請求項１０から請求項１５の何れか１項に記載の基地局装置。
【請求項１７】
前記複数の端末装置宛ての送信信号の再送状態に関する情報は、ＲＶ（リダンダンシーバージョン）であり、
前記変調部は、前記複数の端末装置宛ての送信信号の少なくとも１つに設定された前記ＲＶが、システマティックビットが最も多く含まれることを示す値以外であった場合、前記複数の端末装置宛ての送信信号を非直交多重しない、請求項１０から請求項１５の何れか１項に記載の基地局装置。
【請求項１８】
前記変調部が非直交多重する送信信号が再送信号であった場合、前記再送信号の送信電力に関連付けられた情報を、前記再送信号の宛先の端末装置に通知することを特徴とする、請求項１０から請求項１５の何れか１項に記載の基地局装置。
【請求項１９】
基地局装置と通信を行なう端末装置の通信方法であって、
自装置宛ての送信信号の多重状態に関する情報と、自装置宛ての送信信号の再送状態に関する情報を受信するステップと、
前記基地局装置が自装置宛ての送信信号と他の端末装置宛ての送信信号の少なくとも一部を同一無線リソースにて非直交多重して送信した非直交多重信号を受信するステップと、
前記自装置宛ての送信信号の多重状態に関する情報と、前記自装置宛ての送信信号の再送状態に関する情報に基づいて、復調処理を行うステップと、を備える通信方法。
【請求項２０】
複数の端末装置と通信を行なう基地局装置の通信方法であって、
前記複数の端末装置宛ての送信信号の少なくとも一部を同一無線リソースにて非直交多重した非直交多重信号を生成するステップと、
前記複数の端末装置宛ての送信信号の多重状態に関する情報と、前記複数の端末装置宛ての送信信号の再送状態に関する情報に基づいて、前記複数の端末装置宛ての送信信号を非直交多重するか否かを切り替えるステップと、を備える通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）のような通信システムでは、基地局装置（基地局、送信局、送信点、下りリンク送信装置、上りリンク受信装置、送信アンテナ群、送信アンテナポート群、コンポーネントキャリア、ｅＮｏｄｅＢ）或いは基地局装置に準じる送信局がカバーするエリアをセル（Cell）状に複数配置するセルラ構成とすることにより、通信エリアを拡大することができる。このセルラ構成において、隣接するセルまたはセクタ間で同一周波数を利用することで、周波数利用効率を向上させることができる。
【０００３】
近年では、システム容量の増大や通信機会の向上のために、複数の端末装置を同じ時間、周波数、空間リソース割当て、非直交多重して送信する技術の検討が進められている。基地局装置で複数の端末装置を非直交多重して送信するため、ユーザ間干渉が生じる。従って、端末装置はユーザ間干渉をキャンセルする必要がある。ユーザ間干渉をキャンセルする技術としては、例えば、干渉信号を復号した後に干渉除去するＣＷＩＣ（Ｃｏｄｅｗｏｒｄ  ｌｅｖｅｌ  Ｉｎｔｅｒｆｅｒｅｎｃｅ  Ｃａｎｃｅｌｌａｔｉｏｎ）がある。上記のことは非特許文献１に記載されている。
【先行技術文献】
【非特許文献】
【０００４】
【非特許文献１】“Ｅｎｈａｎｃｅｄ  Ｍｕｌｔｉｕｓｅｒ  Ｔｒａｎｓｍｉｓｓｉｏｎ  ａｎｄ  Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ”、３ＧＰＰ  ＴＳＧ  ＲＡＮ  Ｍｅｅｔｉｎｇ  ＃６６、２０１４年１２月。
【発明の概要】
【発明が解決しようとする課題】
【０００５】
基地局装置より非直交多重されて送信された信号から、受信装置である端末装置が、正しく所望信号を復調するためには、他端末装置宛ての信号を正しくキャンセルする必要がある。
【０００６】
しかしながら、非直交多重された信号は、端末装置から見ると、複数の変調信号が多重された状態となるから、各端末装置宛ての信号に用いられている実際の変調信号点によっては、信号点同士が極端に接近してしまい、それぞれの信号を正しく変調できなくなってしまう。
【０００７】
本発明はこのような事情を鑑みてなされたものであり、その目的は、干渉を軽減することによってスループットや各端末装置の通信機会の向上が可能な基地局装置、端末装置及び通信方法を提供することにある。
【課題を解決するための手段】
【０００８】
上述した課題を解決するために本発明に係る基地局装置、端末装置および通信方法の構成は、次の通りである。
【０００９】
（１）すなわち、本発明の端末装置は、基地局装置と通信を行なう端末装置であって、自装置宛ての送信信号の多重状態に関する情報と、自装置宛ての送信信号の再送状態に関する情報を受信する機能と、前記基地局装置が自装置宛ての送信信号と他の端末装置宛ての送信信号の少なくとも一部を同一無線リソースにて非直交多重して送信した非直交多重信号を受信する機能を備える受信部と、前記自装置宛ての送信信号の多重状態に関する情報と、前記自装置宛ての送信信号の再送状態に関する情報に基づいて、復調処理を行う復調部と、を備える。
【００１０】
（２）また、本発明の端末装置は、前記送信信号の多重状態に関する情報は、伝送モードであり、前記復調部は、前記伝送モードが所定の伝送モードの場合、前記自装置宛ての送信信号の再送状態に関する情報に基づいて復調処理を行なう、上記（１）に記載の端末装置である。
【００１１】
（３）また、本発明の端末装置は、前記所定の伝送モードは、前記非直交多重信号を受信可能な伝送モードである、上記（２）に記載の端末装置である。
【００１２】
（４）また、本発明の端末装置は、前記復調部は、前記伝送モード設定情報が前記非直交多重信号を受信可能な伝送モードを示し、かつ前記自装置宛ての送信信号の再送状態に関する情報が前記自装置宛ての送信信号が初送信号であることを示すときのみ、前記非直交多重信号に対して、干渉抑圧を行なう、上記（３）に記載の端末装置である。
【００１３】
（５）また、本発明の端末装置は、前記自装置宛ての送信信号の多重状態に関する情報は、前記基地局装置が自装置宛ての送信信号に用いたラベリング方法を示す情報であり、前記復調部は、前記ラベリング方法を示す情報が、所定のラベリング方法を示す場合、前記自装置宛ての送信信号の再送状態に関する情報に基づいて、前記非直交多重信号に対して、干渉抑圧を行なうか否かを切り替える、上記（１）に記載の端末装置である。
【００１４】
（６）また、本発明の端末装置は、前記基地局装置は、複数のラベリング方法を、前記自装置宛ての送信信号に選択的に用いることが可能であり、前記復調部は、前記自装置宛ての送信信号の多重状態に関する情報に基づいて、前記送信信号に施されたラベリング方法を取得する、上記（１）に記載の端末装置である。
【００１５】
（７）また、本発明の端末装置は、前記自装置宛ての送信信号の再送状態に関する情報は、ＮＤＩ（ニューデータインディケータ）であり、前記復調部は、前記ＮＤＩが、前記自装置宛ての送信信号が再送信号であることを示す場合、前記自装置宛ての送信信号に対して、前記基地局装置が、前記他の端末装置宛ての送信信号を非直交多重していないものとして復調処理を行なう、上記（１）から上記（６）の何れかに記載の端末装置である。
【００１６】
（８）また、本発明の端末装置は、前記自装置宛ての送信信号の再送状態に関する情報は、ＲＶ（リダンダンシーバージョン）であり、前記復調部は、前記ＲＶが、前記送信信号にシステマティックビットが最も多く含まれることを示す値以外であった場合、前記自装置宛ての送信信号に対して、前記基地局装置が、前記他の端末装置宛ての送信信号を非直交多重していないものとして復調処理を行なう、上記（１）から上記（６）の何れかに記載の端末装置である。
【００１７】
（９）また、本発明の端末装置は、前記復調部は、自装置宛ての送信信号が再送信号であった場合、前記基地局装置より通知される前記再送信号の送信電力に関する情報を用いて、復調処理を行なう、上記（１）から上記（６）の何れかに記載の端末装置である。
【００１８】
（１０）また、本発明の基地局装置は、複数の端末装置と通信を行なう基地局装置であって、前記複数の端末装置宛ての送信信号の少なくとも一部を同一無線リソースにて非直交多重した非直交多重信号を生成する機能を備えた変調部を備え、前記変調部は、前記複数の端末装置宛ての送信信号の多重状態に関する情報と、前記複数の端末装置宛ての送信信号の再送状態に関する情報に基づいて、前記複数の端末装置宛ての送信信号を非直交多重するか否かを切り替える。
【００１９】
（１１）また、本発明の基地局装置は、前記送信信号の多重状態に関する情報は、伝送モードであり、前記変調部は、前記伝送モードが所定の伝送モードの場合、前記複数の端末装置宛ての送信信号の再送状態に関する情報に基づいて、前記複数の端末装置宛ての送信信号を非直交多重するか否かを切り替える、上記（１０）に記載の基地局装置である。
【００２０】
（１２）また、本発明の基地局装置は、前記所定の伝送モードは、前記非直交多重信号を送信可能な伝送モードである、上記（１１）に記載の基地局装置である。
【００２１】
（１３）また、本発明の基地局装置は、前記変調部は、前記伝送モード設定情報が前記非直交多重信号を送信可能な伝送モードを示し、かつ前記複数の端末装置宛ての送信信号の再送状態に関する情報が、前記複数の端末装置宛ての送信信号の少なくとも一つが初送信号であることを示すときのみ、前記複数の端末装置宛ての送信信号を非直交多重する上記（１２）に記載の基地局装置である。
【００２２】
（１４）また、本発明の基地局装置は、前記複数の端末装置宛ての送信信号の多重状態に関する情報は、前記変調部が複数の端末装置宛ての送信信号に用いたラベリング方法を示す情報であり、前記変調部は、前記ラベリング方法を示す情報が、所定のラベリング方法を示す場合、前記複数の端末装置宛ての送信信号の再送状態に関する情報に基づいて、前記複数の端末装置宛ての送信信号を非直交多重するか否かを切り替える、上記（１０）に記載の基地局装置である。
【００２３】
（１５）また、本発明の基地局装置は、前記変調部は、複数のラベリング方法を、前記自装置宛ての送信信号に選択的に用いることが可能であり、前記複数の端末装置宛ての送信信号の再送状態に関する情報に基づいて、前記複数のラベリング方法を切り替える、上記（１０）に記載の基地局装置である。
【００２４】
（１６）また、本発明の基地局装置は、前記複数の端末装置宛ての送信信号の再送状態に関する情報は、ＮＤＩ（ニューデータインディケータ）であり、前記変調部は、前記複数の端末装置宛ての送信信号の少なくとも１つに設定された前記ＮＤＩが、再送信号であることを示す値であった場合、前記複数の端末装置宛ての送信信号を非直交多重しない、上記（１０）から（１５）の何れかに記載の基地局装置である。
【００２５】
（１７）また、本発明の基地局装置は、前記複数の端末装置宛ての送信信号の再送状態に関する情報は、ＲＶ（リダンダンシーバージョン）であり、前記変調部は、前記複数の端末装置宛ての送信信号の少なくとも１つに設定された前記ＲＶが、システマティックビットが最も多く含まれることを示す値以外であった場合、前記複数の端末装置宛ての送信信号を非直交多重しない、上記（１０）から（１５）の何れかに記載の基地局装置である。
【００２６】
（１８）また、本発明の基地局装置は、前記変調部が非直交多重する送信信号が再送信号であった場合、前記再送信号の送信電力に関連付けられた情報を、前記再送信号の宛先の端末装置に通知することを特徴とする、上記（１０）から（１５）の何れかに記載の基地局装置である。
【００２７】
（１９）また、本発明の通信方法は、基地局装置と通信を行なう端末装置の通信方法であって、自装置宛ての送信信号の多重状態に関する情報と、自装置宛ての送信信号の再送状態に関する情報を受信するステップと、前記基地局装置が自装置宛ての送信信号と他の端末装置宛ての送信信号の少なくとも一部を同一無線リソースにて非直交多重して送信した非直交多重信号を受信するステップと、前記自装置宛ての送信信号の多重状態に関する情報と、前記自装置宛ての送信信号の再送状態に関する情報に基づいて、復調処理を行うステップと、を備える。
【００２８】
（２０）また、本発明の通信方法は、複数の端末装置と通信を行なう基地局装置の通信方法であって、前記複数の端末装置宛ての送信信号の少なくとも一部を同一無線リソースにて非直交多重した非直交多重信号を生成するステップと、前記変調部は、前記複数の端末装置宛ての送信信号の多重状態に関する情報と、前記複数の端末装置宛ての送信信号の再送状態に関する情報に基づいて、前記複数の端末装置宛ての送信信号を非直交多重するか否かを切り替えるステップと、を備える。
【発明の効果】
【００２９】
本発明によれば、干渉信号を軽減することができ、スループットを向上させることができる。
【図面の簡単な説明】
【００３０】
【図１】本発明に係る通信システムの例を示す図である。
【図２】本発明に係る基地局装置の１構成例を示すブロック図である。
【図３】本発明に係る符号化部の１構成例を示すブロック図である。
【図４】本発明に係る符号化ブロックの１例を示す概略図である。
【図５】本発明の送信信号の１例を示す概略図である。
【図６】本発明の送信信号の１例を示す概略図である。
【図７】本発明の送信信号の１例を示す概略図である。
【図８】本発明の送信信号と受信信号の関係の１例を示す概略図である。
【図９】本発明の送信信号の１例を示す概略図である。
【図１０】本発明の送信信号の１例を示す概略図である。
【図１１】本発明の送信信号と受信信号の関係の１例を示す概略図である。
【図１２】本発明に係る端末装置の１構成例を示すブロック図である。
【発明を実施するための形態】
【００３１】
本実施形態における通信システムは、基地局装置（送信装置、セル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。
【００３２】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００３３】
［１．第１の実施形態］
図１は、本実施形態に係る通信システムの例を示す図である。図１に示すように、本実施形態における通信システムは、基地局装置１Ａ、端末装置２Ａ、２Ｂを備える。また、カバレッジ１−１は、基地局装置１Ａが端末装置と接続可能な範囲（通信エリア）である。また、端末装置２Ａ、２Ｂを総称して端末装置２とも称する。
【００３４】
図１において、端末装置２Ａから基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００３５】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ）を含む。下りリンクデータに対するＡＣＫ／ＮＡＣＫを、ＨＡＲＱ−ＡＣＫ、ＨＡＲＱフィードバックとも称する。
【００３６】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。前記チャネル状態情報は、好適な空間多重数を指定するランク指標ＲＩ、好適なプレコーダを指定するプレコーディング行列指標ＰＭＩ、好適な伝送レートを指定するチャネル品質指標ＣＱＩなどが該当する。
【００３７】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（code rate）とすることができる。ＣＱＩ値は、前記変更方式や符号化率により定められたインデックス（CQI Index）とすることができる。前記ＣＱＩ値は、予め当該システムで定めたものをすることができる。
【００３８】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００３９】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００４０】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００４１】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００４２】
ＰＲＡＣＨは、ランダムアクセスプリアンブルを送信するために用いられる。
【００４３】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００４４】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００４５】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００４６】
ＰＢＣＨは、端末装置で共通に用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、ＯＦＤＭシンボルの数）を指示する情報を送信するために用いられる。
【００４７】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００４８】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００４９】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００５０】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００５１】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００５２】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００５３】
また、上りリンクに対するＤＣＩフォーマットは、下りリンクのチャネル状態情報（ＣＳＩ；Channel State Information。受信品質情報とも称する。）を要求（CSI request）するために用いることができる。チャネル状態情報は、好適な空間多重数を指定するランク指標ＲＩ（Rank Indicator）、好適なプリコーダを指定するプリコーディング行列指標ＰＭＩ（Precoding Matrix Indicator）、好適な伝送レートを指定するチャネル品質指標ＣＱＩ（Channel Quality Indicator）、プリコーディングタイプ指標ＰＴＩ（Precoding type Indicator）などが該当する。
【００５４】
また、上りリンクに対するＤＣＩフォーマットは、端末装置が基地局装置にフィードバックするチャネル状態情報報告(CSI feedback report)をマップする上りリンクリソースを示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５５】
例えば、チャネル状態情報報告は、不定期なチャネル状態情報（Aperiodic CSI）を報告する上りリンクリソースを示す設定のために用いることができる。チャネル状態情報報告は、不定期的にチャネル状態情報を報告するモード設定（CSI report mode）のために用いることができる。基地局装置は、前記定期的なチャネル状態情報報告又は前記不定期的なチャネル状態情報報告のいずれかを設定することができる。また、基地局装置は、前記定期的なチャネル状態情報報告及び前記不定期的なチャネル状態情報報告の両方を設定することもできる。
【００５６】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００５７】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００５８】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００５９】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００６０】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１Ａから送信されるＲＲＣメッセージは、ある端末装置２に対して専用のメッセージ（dedicated signalingとも称する）であっても良い。すなわち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００６１】
ここで、ＲＲＣメッセージおよび／またはＭＡＣ  ＣＥを、上位層の信号（higher layer signaling）とも称する。
【００６２】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００６３】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対して１つのチャネル状態情報を算出する。狭帯域ＣＳＩは、システム帯域を所定の単位に区分し、その区分に対して１つのチャネル状態情報を算出する。
【００６４】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００６５】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００６６】
ここで、下りリンク参照信号には、ＣＲＳ（Cell-specific Reference Signal;
セル固有参照信号）、ＰＤＳＣＨに関連するＵＲＳ（UE-specific Reference Signal；端末固有参照信号）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００６７】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００６８】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００６９】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００７０】
ＭＢＳＦＮ（Multimedia Broadcast multicast service Single Frequency Network）  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信に用いられるアンテナポートで送信される。
【００７１】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００７２】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００７３】
基地局装置は、時間、周波数及び空間（例えば、アンテナポート、ビームパターン、プリコーディングパターン）でリソースを分割することなく複数の端末装置を多重することができる。時間、周波数及び空間でリソースを分割することなく複数の端末装置を多重することを、以下では非直交多重とも称する。以下では、２つの端末装置を非直交多重する場合を説明するが、本発明はこれに限らず、３つ以上の端末装置を非直交多重することも可能である。
【００７４】
端末装置２Ａは、干渉信号の除去又は抑圧に必要なパラメータを、基地局装置から受信もしくはブラインド検出によって検出することができる。端末装置２Ｂは、必ずしも干渉信号の除去または抑圧は必要としない。端末装置２Ｂが干渉キャンセルしない場合、干渉信号電力は比較的小さいため、端末装置２Ｂは、干渉信号に関するパラメータを知らなくても、自装置宛の信号を復調することができる。つまり、基地局装置１Ａが端末装置２Ａ及び２Ｂを非直交多重する場合、端末装置２Ａは、非直交多重による干渉信号を除去又は抑圧する機能を備える必要があるが、端末装置２Ｂは干渉除去又は抑圧する機能を備えなくてもよい。言い換えると、基地局装置１Ａは、非直交多重をサポートしている端末装置と非直交多重をサポートしていない端末装置を非直交多重することができる。また、別の言い方では、基地局装置１Ａは、異なる送信モードが設定されている端末装置を非直交多重することができる。従って、各端末装置の通信機会を向上させることができる。
【００７５】
基地局装置１Ａは、干渉となる端末装置（この例では端末装置２Ｂ）に関する情報（アシスト情報、補助情報、制御情報、設定情報）を、端末装置２Ａに対して送信する。基地局装置１Ａは、上位層の信号または物理層の信号（制御信号、ＰＤＣＣＨ、ＥＰＤＣＣＨ）で、干渉となる端末装置に関する情報（ＮＡＩＣＳ（Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ）情報、ＮＡＩＣＳアシスト情報、ＮＡＩＣＳ設定情報、ＭＵ（Ｍｕｌｔｉｕｓｅｒ）−ＮＡＩＣＳ情報、ＭＵ−ＮＡＩＣＳアシスト情報、ＭＵ−ＮＡＩＣＳ設定情報、ＮＯＭＡ（Ｎｏｎ  Ｏｒｔｈｏｇｏｎａｌ  Ｍｕｌｔｉｐｌｅ  Ａｃｃｅｓｓ）情報、ＮＯＭＡアシスト情報、ＮＯＭＡ設定情報）を送信することができる。
【００７６】
ＭＵ−ＮＡＩＣＳアシスト情報には、ＰＡに関する情報、送信モード、端末固有参照信号の送信電力に関する情報、干渉信号のＰＤＳＣＨの送信電力に関する情報、ＰＭＩ、サービングセルのＰＡに関する情報、サービングセルの端末固有参照信号の送信電力に関する情報、変調方式、ＭＣＳ（Ｍｏｄｕｌａｔｉｏｎ  ａｎｄ  Ｃｏｄｉｎｇ  Ｓｃｈｅｍｅ）、リダンダンシーバージョン、ＲＮＴＩ（Ｒａｄｉｏ  Ｎｅｔｗｏｒｋ  Ｔｅｍｐｏｒａｒｙ  Ｉｄｅｎｔｉｆｉｅｒ）の一部または全部が含まれる。
【００７７】
図２は、本実施形態における基地局装置１Ａの構成を示す概略ブロック図である。図２に示すように、基地局装置１Ａは、上位層処理部（上位層処理ステップ）１０１、制御部（制御ステップ）１０２、送信部（送信ステップ）１０３、受信部（受信ステップ）１０４と送受信アンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００７８】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００７９】
上位層処理部１０１は、端末装置の機能（UE capability）等、端末装置に関する情報を端末装置から受信する。言い換えると、端末装置は、自身の機能を基地局装置に上位層の信号で送信する。
【００８０】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【００８１】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００８２】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【００８３】
スケジューリング部１０１２は、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【００８４】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【００８５】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【００８６】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【００８７】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【００８８】
図３は符号化部１０３１の構成の一例を示す概略ブロック図である。ここではターボ符号により誤り訂正符号化を行う場合を説明する。符号化部は、ターボ符号化部３０１、インターリーブ部３０２−１〜３０２−３、ビット選択部３０３を備える。ターボ符号化部３０１はある符号化率で符号化を行なう。ここでは符号化率１／３で符号化した場合を説明する。このとき、ターボ符号化部３０１は、システマティックビット系列、第１パリティビット系列、第２パリティビット系列の３系列を出力する。インターリーブ部３０２−１〜３０２−３は、それぞれシステマティックビット（Ｓｙｓｔｅｍａｔｉｃ  ｂｉｔ）系列、第１パリティビット系列、第２パリティビット系列をインターリーブするサブブロックインターリーバである。インターリーブ部３０２−１〜３０２−３は並列処理を行なうため３つのブロックがあるが、直列処理を行なう場合は１つのインターリーブ部があればよい。ビット選択部３０３は、ＲＶやレートマッチング等により決定されたレートになるように、ビット系列をパンクチャリングして、送信するビット系列を出力する。なお、符号化ビット系列は、端末装置が正しく情報データを受信できるまで保持しておく。保持した符号化ビット系列はＨＡＲＱに用いることができる。
【００８９】
図４は、ビット選択部３０３の処理を説明するための図である。図中の四角にはインターリーブ後の符号化ビットが配置される。斜線の領域には、システマティックビット系列、白抜きの領域には第１パリティビット系列と第２パリティビット系列が交互に配置される。配置されたビット系列に対し、ＲＶの値に応じて決定される開始位置として、必要なビット数を読み出す。
【００９０】
例えば、ＬＴＥ（Ｌｏｎｇ  Ｔｅｒｍ  Ｅｖｏｌｕｔｉｏｎ）では、ＲＶは４通りある。ここでは４通りのＲＶをＲＶ０〜ＲＶ３として表す。なお、ＲＶ０〜ＲＶ３はそれぞれＲＶの値が０、１、２、３の場合を表す。また、ＲＶ０は、ＲＶのうちで最も多くのシステマティックビットを含むものである。どのＲＶを用いるかは端末装置から通知される再送要求信号に応じてビット選択部が決定する。通常、初送が要求される場合、ＲＶ０が用いられる。再送が要求される場合は、ＲＶ０〜ＲＶ３のどれかが用いられる。
【００９１】
下りリンク参照信号生成部１０３３は、基地局装置１Ａを識別するための物理セル識別子（ＰＣＩ、セルＩＤ）などを基に予め定められた規則で求まる、端末装置２Ａが既知の系列を下りリンク参照信号として生成する。
【００９２】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【００９３】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【００９４】
受信部１０４は、制御部１０２から入力された制御信号に従って、送受信アンテナ１０５を介して端末装置２Ａから受信した受信信号を分離、復調、復号し、復号した情報を上位層処理部１０１に出力する。
【００９５】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００９６】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【００９７】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【００９８】
また、多重分離部１０４２は、ＰＵＣＣＨとＰＵＳＣＨの伝搬路の補償を行なう。また、多重分離部１０４２は、上りリンク参照信号を分離する。
【００９９】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１００】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１０１】
本実施形態に係る基地局装置１Ａの変調部１０３２の動作の一例について、基地局装置１Ａが、端末装置２Ａと端末装置２Ｂを非直交多重する場合を例に説明する。基地局装置１Ａは、端末装置２Ａ宛てのＰＤＳＣＨ（第１のＰＤＳＣＨ、ＰＤＳＣＨ１）を第１の変調方式を用いて送信する。また、基地局装置１Ａは、端末装置２Ｂ宛てのＰＤＳＣＨ（第２のＰＤＳＣＨ、ＰＤＳＣＨ２）を第２の変調方式を用いて送信する。第１の変調方式と、第２の変調方式は、同一でも良いし、異なっていても良いが、以下では、第１の変調方式を１６ＱＡＭ、第２の変調方式をＱＰＳＫあるものとして説明する。
【０１０２】
基地局装置１Ａは、端末装置２Ａへの送信信号と、端末装置２Ｂへの送信信号とを、異なる送信電力を割当てて送信することができる。例えば、以下の説明では、端末装置２Ｂに対するＰＤＳＣＨ２の送信電力が、端末装置２Ａに対するＰＤＳＣＨ１の送信電力よりも大きい場合を説明する。
【０１０３】
基地局装置１Ａは、端末装置２Ａへの送信信号と、端末装置２Ｂへの送信信号を、非直交多重して送信するか否かを、端末装置２Ａへの送信信号の再送状態に応じて決定することができる。例えば、基地局装置１Ａは、端末装置２Ａへの送信信号が、初送信号である場合、端末装置２Ａへの送信信号に、端末装置２Ｂへの送信信号を非直交多重して送信することができる。一方、基地局装置１Ａは、端末装置２Ａへの送信信号が、再送信号である場合、端末装置２Ａへの送信信号に、他の端末装置への送信信号を非直交多重せずに送信することができる。
【０１０４】
ここで、初送信号とは、基地局装置１Ａが端末装置２Ａに送信する情報ビットを符号化した符号化ビット系列のうち、初めて送信される符号化ビットを含む信号を指す。
【０１０５】
基地局装置１Ａは、端末装置２ＡにＰＤＣＣＨ等で送信する制御情報に、端末装置２Ａ宛ての送信信号の再送状態を示す情報を含めることができる。例えば、基地局装置１Ａは、端末装置２Ａ宛ての制御情報にニューデータインディケータ（New Data Indicator：ＮＤＩ）を含めることができる。基地局装置１Ａが端末装置２Ａ宛ての制御情報に含めるＮＤＩが‘１’である場合、基地局装置１Ａは、端末装置２Ａ宛ての送信信号に対して、他の端末装置（例えば端末装置２Ｂ）宛ての送信信号を非直交多重して送信することができる。一方、基地局装置１Ａが端末装置２Ａ宛ての制御情報に含めるＮＤＩが‘０’である場合、基地局装置１Ａは、端末装置２Ａ宛ての送信信号に対して、他の端末装置（例えば端末装置２Ｂ）宛ての送信信号を非直交多重せずに送信することができる。
【０１０６】
また、基地局装置１Ａは、端末装置２Ａ宛ての制御情報にＲＶを含めて送信することができる。基地局装置１Ａが端末装置２Ａ宛ての制御情報に含めるＲＶが‘０’であった場合（すなわち、該送信信号が、最もシステマティックビットを含む符号化ビットであった場合）、基地局装置１Ａは、端末装置２Ａ宛ての送信信号に対して、他の端末装置（例えば端末装置２Ｂ）宛ての送信信号を非直交多重して送信することができる。一方、基地局装置１Ａが端末装置２Ａ宛ての制御情報に含めるＲＶが‘０’以外である場合、基地局装置１Ａは、端末装置２Ａ宛ての送信信号に対して、他の端末装置（例えば端末装置２Ｂ）宛ての送信信号を非直交多重せずに送信することができる。
【０１０７】
また、基地局装置１Ａは、端末装置２Ａ宛ての送信信号の多重状態（すなわち、端末装置２Ａ宛ての送信信号に、他端末装置宛ての送信信号が非直交多重されているか否か）を示す情報を、端末装置２Ａに送信することができる。例えば、基地局装置１Ａは、端末装置２Ａに対して、伝送モードを示す情報を、端末装置２Ａに送信する制御情報に含めることができる。ここで、基地局装置１Ａが端末装置２Ａに対して、所定の伝送モードを示す情報を通知し、該所定の伝送モードが、基地局装置１Ａが端末装置２Ａ宛ての送信信号に、他の端末装置宛ての送信信号を非直交多重することが可能である場合、基地局装置１Ａに先に説明した、端末装置２Ａ宛ての送信信号の再送状態に応じて、端末装置２宛ての送信信号に他の端末装置宛ての送信信号を非直交多重するか否かを決定することができる。
【０１０８】
なお、基地局装置１Ａが端末装置２Ａに通知する、送信信号の多重状態を示す情報は、伝送モードに限定されず、例えばＲＲＣシグナリングのような上位レイヤで通知される制御情報も本実施形態には含まれる。
【０１０９】
また、基地局装置１Ａは、端末装置２Ａ宛ての送信信号の多重状態を示す情報と、端末装置２Ａ宛ての送信信号の再送状態を示す情報が、それぞれ所定の状態を示す場合においてのみ、基地局装置１Ａは、端末装置２Ａ宛ての送信信号に、他端末装置宛ての送信信号を非直交多重することが可能である。例えば、基地局装置１Ａは、端末装置２Ａに対して、所定の伝送モードを通知し、かつ、端末装置２Ａに通知する端末装置２Ａ宛ての送信信号の再送状態を示す情報が、該送信信号が初送信号であることを示す場合（例えば、ＮＤＩが‘１’である場合）に、基地局装置１Ａは、端末装置２Ａ宛ての送信信号に対して、他の端末装置宛ての送信信号を非直交多重することが可能である。
【０１１０】
図１２は、本実施形態における端末装置２の構成を示す概略ブロック図である。図１２に示すように、端末装置２Ａは、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１１１】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１１２】
上位層処理部２０１は、自端末装置がサポートしている端末装置の機能を示す情報を、送信部２０３に出力する。
【０１１３】
無線リソース制御部２０１１は、自端末装置の各種設定情報の管理をする。また、無線リソース制御部２０１１は、上りリンクの各チャネルに配置される情報を生成し、送信部２０３に出力する。
【０１１４】
無線リソース制御部２０１１は、基地局装置から送信されたＣＳＩフィードバックに関する設定情報を取得し、制御部２０２に出力する。
【０１１５】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１１６】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１１７】
制御部２０２は、チャネル状態情報生成部２０５が生成したＣＳＩを基地局装置に送信するように送信部２０３を制御する。
【０１１８】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。
【０１１９】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１２０】
また、無線受信部２０４１は、変換したディジタル信号からＣＰに相当する部分を除去し、ＣＰを除去した信号に対して高速フーリエ変換を行い、周波数領域の信号を抽出する。
【０１２１】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１２２】
信号検出部２０４３は、ＰＤＳＣＨ、チャネル推定値を用いて、信号検出し、上位層処理部２０１に出力する。
【０１２３】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１Ａに送信する。
【０１２４】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１２５】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１２６】
上りリンク参照信号生成部２０３３は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１２７】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１２８】
無線送信部２０３５は、多重された信号を逆高速フーリエ変換（Inverse Fast Fourier Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１２９】
本実施形態に係る信号検出部２０４３は、自装置宛ての送信信号の多重状態に関する情報と、自装置宛ての送信信号の再送状態に関する情報に基づいて、復調処理を行なうことが可能である。
【０１３０】
信号検出部２０４３は、自装置宛ての再送状態に関する情報として、基地局装置１Ａより通知されるＮＤＩを取得することができる。該ＮＤＩが、該送信信号が初送信号であることを示す（すなわち、ＮＤＩが‘１’を示す）場合、信号検出部２０４３は、自装置宛ての送信信号に対して、他の端末装置宛ての送信信号が非直交多重されているものと解釈して、復調処理を行なうことができる。具体的には、信号検出部２０４３は、自装置宛ての送信信号に対して、他の端末装置（例えば端末装置２Ｂ）宛ての送信信号が非直交多重されている非直交多重信号に対して、他の端末装置宛ての信号を干渉信号とみなして、該干渉信号を除去又は抑圧するための復調処理を行なうことができる。この際に、信号検出部２０４３は、該干渉信号を除去又は抑圧するために、干渉信号の復調結果によって干渉除去を行うＳＬＩＣ（Ｓｙｍｂｏｌ  Ｌｅｖｅｌ  Ｉｎｔｅｒｆｅｒｅｎｃｅ  Ｃａｎｃｅｌｌａｔｉｏｎ）、干渉信号の復号結果によって干渉除去を行うＣＷＩＣ（Ｃｏｄｅｗｏｒｄ  Ｌｅｖｅｌ  Ｉｎｔｅｒｆｅｒｅｎｃｅ  Ｃａｎｃｅｌｌａｔｉｏｎ）、送信信号候補の中から最もそれらしいものを探索する最尤検出（ＭＬＤ：Ｍａｘｉｍｕｍ  Ｌｉｋｅｌｉｈｏｏｄ  Ｄｅｔｅｃｔｉｏｎ）などを用いることも可能である。
【０１３１】
信号検出部２０４３は、自装置宛ての送信信号の再送状態に関する情報として、基地局装置１Ａより通知されるＲＶを取得することもできる。該ＲＶが、最もシステマティックビットを含むＲＶを示す場合、信号検出部２０４３は、自装置宛ての送信信号に対して、他の端末装置宛ての送信信号が非直交多重されているものと解釈して、復調処理を行なうことができる。
【０１３２】
信号検出部２０４３は、自装置宛ての送信信号の多重状態に関する情報として、基地局装置１Ａより通知される伝送モードを示す情報を取得することができる。例えば、信号検出部２０４３は、該伝送モードを示す情報が、所定の伝送モードを示す場合、上記説明してきた、自装置宛ての送信信号の再送状態に関する情報に基づいて、復調処理を行なうことができる。ここで、所定のモードとは、端末装置２Ａが、自装置宛ての送信信号に、他の端末装置宛ての送信信号が非直交多重された非直交多重信号を受信可能とする伝送モードである。また、端末装置２Ａは、例えばＲＲＣシグナリングのような上位レイヤで通知される情報に基づいて、自装置宛ての送信信号の多重状態に関する情報を取得することが可能である。
【０１３３】
また、信号検出部２０４３は、自装置宛ての送信信号の多重状態を示す情報と、自装置宛ての送信信号の再送状態を示す情報が、それぞれ所定の状態を示す場合においてのみ、自装置宛ての送信信号に、他端末装置宛ての送信信号が非直交多重されているものと解釈して、復調処理を行なうことができる。例えば、信号検出部２０４３に通知された伝送モードを示す情報が、所定の伝送モード（例えば、端末装置２Ａが非直交多重信号を受信可能な伝送モード）を示し、かつ、自装置宛ての送信信号の再送状態を示す情報が、該送信信号が初送信号であることを示す（例えば、ＮＤＩが‘１’を示す）場合に、信号検出２０４３は、自装置宛ての送信信号に、他の端末装置宛ての送信信号が非直交多重されているものと解釈して、復調処理を行なうことが可能である。
【０１３４】
以上説明してきた基地局装置１Ａおよび端末装置２Ａによれば、基地局装置１Ａは、端末装置２Ａ宛ての送信信号の多重状態および再送状態を示す情報に基づいて、端末装置２Ａ宛ての送信信号に他の端末装置宛ての送信信号を非直交多重するか否かを決定することができ、また、端末装置２Ａは、自装置宛ての送信信号の多重状態および再送状態を示す情報に基づいて、自装置宛ての送信信号に他の端末装置宛ての送信信号が非直交多重されているか否かを解釈して、復調処理を行なうことが可能となるから、基地局装置１Ａは、柔軟な無線リソース割り当てが可能となり、端末装置２Ａは、適切な復調処理を行なうことが可能となるから、通信システムの周波数利用効率の改善に寄与できる。
【０１３５】
［２．第２の実施形態］
本実施形態においては、基地局装置１Ａは、端末装置２Ａ宛ての送信信号の多重状態を示す情報として、端末装置２Ａ宛ての送信信号を変調する際に用いるマッピング方法を用いる。なお、基地局装置１Ａおよび端末装置２Ａの装置構成は、第１の実施形態と同様である。
【０１３６】
はじめに、従来例について説明する。図５は、第１の変調方式の変調信号点（変調マッピング）の一例を示す概略図である。また、図６は、第２の変調方式の変調信号点（変調マッピング）の一例を示す概略図である。図７は、基地局装置１Ａが、ＰＤＳＣＨ１とＰＤＳＣＨ２を非直交多重した場合の変調信号点の一例を示す概略図である。この場合、基地局装置１Ａが送信する可能性のある変調信号点は、全部で６４点ということになる。例えば、基地局装置１Ａが端末装置２Ａ宛ての“００１１”という４ビットの情報（送信ビット）と、端末装置２Ｂ宛ての“１１”という２ビットの情報を送信する場合、基地局装置１Ａは、端末装置２Ａおよび端末装置２Ｂ宛ての送信ビットを、図７中において“１１００１１”とラベリングされた変調信号点に変調（マッピング）して送信することになる。以下では、端末装置１Ａ宛ての送信ビットと、端末装置２Ａ宛ての送信ビットを合成した送信ビットのことを複合ビットとも呼ぶ。また、複合ビットのラベリングは、端末装置２Ｂ宛ての送信ビットから始まる例で説明する。すなわち、上記を例にとれば、複合ビットの６ビットのうち、上位２ビットが、端末装置２Ｂ宛ての送信ビットであり、下位４ビットが、端末装置２Ａ宛ての送信ビットである。なお、複合ビットの構成方法は、これに限定されるものではなく、例えば、端末装置２Ａ宛ての送信ビットからマッピングが開始されてもよい。
【０１３７】
なお、基地局装置１Ａは、ＰＤＳＣＨ１とＰＤＳＣＨ２に対して、先に説明したような送信電力制御を行なう場合があるから、実際の各信号点間の距離は、図７に示したものとは異なる場合がある。
【０１３８】
端末装置２Ａと端末装置２Ｂは、基地局装置１Ａが送信した変調シンボルを、それぞれ受信する。端末装置２Ｂは、自装置に送信されている２ビットの情報を、該変調シンボルより復調する。ここで、図７に示すように、基地局装置１Ａが、ＰＤＳＣＨ２にＰＤＳＣＨ１よりも高い送信電力を与えた場合、端末装置２Ｂが受信する６４点の変調信号点は、基地局装置１ＡがＰＤＳＣＨ２に適用したＱＰＳＫの４点の変調信号点を中心として、基地局装置１ＡがＰＤＳＣＨ１に適用した１６ＱＡＭの１６点の変調信号点が存在する。よって、端末装置２Ｂは、受信された信号が、信号点空間のどの象限に属するから判断することで、自装置宛ての２ビットの情報を復調することができる。すなわち、端末装置２Ｂは、自装置宛ての信号に他装置宛ての信号が非直交多重されているか否かを判断せずに、自装置宛ての信号を復調することが可能である。もちろん、端末装置２Ｂは、後述する端末装置２Ａと同様に、他装置宛ての信号を検出したのち、自装置宛ての信号を復調しても構わない。
【０１３９】
一方、端末装置２Ａが、自装置宛ての４ビットの情報を復調するためには、初めに、基地局装置１Ａより送信された変調シンボルから端末装置２Ｂ宛ての２ビットの情報を復調し、自装置宛ての４ビットの情報がどの象限に属するかを判断しなければならない。この方法は、何かに限定されるものではないが、例えば、端末装置２Ａは、基地局装置１ＡがＰＤＳＣＨ１とＰＤＳＣＨ２に用いている変調方式に基づいて、受信する可能性のある変調信号候補点（図７を例にとれば、６４点）を算出し、受信信号と最も近い変調信号候補点を抽出することができる。この方法によれば、端末装置２Ａは、基地局装置１Ａが複合ビットをマッピングした変調シンボルを復調することができるから、復調した変調シンボルより、自装置宛ての４ビットの情報を復調することができる。なお、端末装置２Ａは、複合ビットに含まれる端末装置２Ｂ宛ての送信ビットを干渉信号とみなし、該干渉信号を除去又は抑圧するために、ＳＬＩＣ等の干渉抑圧処理を行なうことも可能である。
【０１４０】
図８は、従来例における、端末装置２Ａの受信号点と、基地局装置１Ａが送信する変調シンボルの信号候補点の関係の一例を表す概略図である。ここで、図８においては、基地局装置１Ａは“１１００１１”という複合ビットを、“１１００１１”とラベリングされている変調信号点に変調（変調マッピング）して送信している。そして、該変調シンボルが、雑音の影響により、端末装置２Ａにおいて、白抜きの○で示す点に受信された場合を考える。この場合、端末装置２Ａは、図８中において受信信号に最も近い信号候補点）を基地局装置１Ａが送信した変調シンボルと判断する。すなわち、端末装置２Ａは、基地局装置１Ａが送信した複合ビットは“０１１０１１”と判断する。この場合、実際に基地局装置１Ａが端末装置２Ａに送信した４ビットの情報は“００１１”であったのに対して、端末装置２Ａは、基地局装置１Ａが自装置宛てに送信した４ビットの情報は“１０１１”と判断してしまう。すなわち、端末装置２Ａは、受信処理に際して、４ビットの中の１ビットの誤りを発生させてしまうことになる。これは、従来例においては、基地局装置１Ａが複合ビットを変調信号点にラベリングした場合に、象限が異なって隣り合う２つの変調信号点において、６ビットの中の２ビットの違いが発生しているためである。本実施形態においては、上記問題を解決するために、基地局装置１Ａは、複合ビットの変調シンボルへのラベリング方法、特に、端末装置２Ａ宛ての送信ビットの変調シンボルへのラベリング方法を変更する。
【０１４１】
図９は、本実施形態に係るが基地局装置１Ａが、ＰＤＳＣＨ１とＰＤＳＣＨ２を非直交多重した場合の変調信号点の一例を示す概略図である。図９に示すように、本実施形態に係る基地局装置１Ａは、端末装置２Ｂ宛ての送信ビットに基づいて、端末装置２Ａ宛ての送信ビットの、変調シンボルへのラベリング方法を変更する。図９の例においては、基地局装置１Ａが端末装置２Ｂ宛てに“１１”という２ビットの情報を送信する場合、基地局装置１Ａは端末装置２Ａ宛ての４ビットの情報を、従来の１６ＱＡＭの変調信号点へのラベリングを用いて送信する。すなわち、端末装置２Ａ宛ての送信ビットが“００１１”であった場合、基地局装置１Ａは、図９において“１１００１１”とラベリングされた変調信号点を複合ビットの変調シンボルとする。
【０１４２】
また、基地局装置１Ａが端末装置２Ｂ宛てに“１０”という２ビットの情報を送信する場合、基地局装置１Ａは端末装置２Ａ宛ての４ビットの情報を、従来の１６ＱＡＭの変調信号点を、Ｑ軸を中心に線対称の関係にある変調信号点を用いて送信する。すなわち、端末装置２Ａ宛ての送信ビットが“００１１”であった場合、基地局装置１Ａは、図９において“１０００１１”とラベリングされた変調信号点を複合ビットの変調シンボルとする。また、基地局装置１Ａが端末装置２Ｂ宛てに“０１”という２ビットの情報を送信する場合、基地局装置１Ａは端末装置２Ａ宛ての４ビットの情報を、従来の１６ＱＡＭの変調信号点を、Ｑ軸を中心に線対称の関係にある変調信号点を用いて送信する。また、基地局装置１Ａが端末装置２Ｂ宛てに“００”という２ビットの情報を送信する場合、基地局装置１Ａは端末装置２Ａ宛ての４ビットの情報を、従来の１６ＱＡＭの変調信号点を、原点を中心に点対称とした変調信号点を用いて送信する。
【０１４３】
このように、基地局装置１Ａが、複合ビットを変調シンボルに変調することによって、全ての隣り合う２つの変調信号点において、１ビットの違いとすることが可能となる。なお、基地局装置１Ａが複合ビットを変調シンボルに変調する方法は、図９の例だけに限定されない。例えば、図１０に示すように複合ビットを変調シンボルに変調しても良い。
【０１４４】
このように、本実施形態に係る基地局装置１Ａは、端末装置２Ａ宛ての送信ビットの変調シンボルに対するラベリング方法を、端末装置２Ｂ宛ての送信ビットに基づいて変更している。言い換えると、基地局装置１Ａは、端末装置２Ｂ宛ての送信ビットに基づいて、複合ビットの変調シンボルに対するラベリング方法を変更している。更に言い換えると、基地局装置１Ａは、端末装置２Ｂ宛ての送信ビットに基づいて、第１の変調方式の変調信号点を変更している。更に言い換えると、基地局装置１Ａは、端末装置２Ｂ宛ての送信ビットに基づいて、複合ビットの変調シンボルの変調信号点を変更している。更に言い換えると、基地局装置１Ａは、端末装置２Ａ宛ての送信信号に、端末装置２Ｂ宛ての送信信号を非直交多重するか否かに応じて、ラベリング方法を決定している。更に言い換えると、基地局装置１Ａは、ラベリング方法を変更することで、端末装置２Ａ宛ての送信信号に、端末装置２Ｂ宛ての送信信号を非聴講多重するか否かを決定している。
【０１４５】
図１１は、本実施形態に係る基地局装置１Ａが非直交多重したＰＤＳＣＨ１とＰＤＳＣＨ２を送信した場合に、端末装置２Ａに受信される変調信号の様子の一例を示す概略図である。ここで、図８と同様に、基地局装置１Ａが実際に送信した変調シンボルが、図１１中において“１１００１１”とラベリングされた変調信号点であった一方で、端末装置２Ａが受信した信号点は、雑音の影響により、図１１中において○で示す点に受信された場合を考える。この場合、端末装置２Ａは、図１１中において受信信号に最も近い信号候補点である“０１００１１”とラベリングされた信号点を、基地局装置１Ａが送信した信号と判断してしまう。しかし、該信号点より、端末装置２Ａが、自装置宛ての情報として復調するのは“００１１”の４ビットとなるから、端末装置２Ａは受信処理によって、誤りを生じない。よって、本実施形態に係る基地局装置１Ａ、端末装置２Ａおよび端末装置２Ｂを備える通信システムは、従来例よりも、高品質は非直交多重通信を実現することができる。
【０１４６】
基地局装置１Ａは、複合ビットの変調シンボルに対するラベリング方法を、ＰＤＳＣＨ１のＲＶに基づいて変更してもよい。基地局装置１Ａが、端末装置２Ａからの再送要求を受信した場合を考える。ここで、基地局装置１Ａが端末装置２Ａへ再送するＰＤＳＣＨ１のＲＶが、初送の（もしくは、既に送信した）ＰＤＳＣＨ１のＲＶと同じであった場合、基地局装置１Ａは、初送のＰＤＳＣＨ１を含む複合ビットを変調シンボルにマッピングするのに用いたラベリング方法を、再送するＰＤＳＣＨ１を含む複合ビットを変調シンボルにマッピングする際に用いることができる。このように制御することで、基地局装置１Ａは、再送のＰＤＳＣＨ１に対して、適切に他の端末装置宛てのＰＤＳＣＨ（例えばＰＤＳＣＨ２）を非直交多重することが可能となる。また、端末装置２Ａは、同じＲＶが設定された再送のＰＤＳＣＨ１と、初送のＰＤＳＣＨ１とを適切にパケット合成（例えばシンボルレベルでパケット合成を行なうチェイス合成）することが可能となる。
【０１４７】
また、基地局装置１Ａは、端末装置２Ａに対して、ＲＶを通知することで、該再送のＰＤＳＣＨ１を含む複合ビットを変調シンボルにマッピングする際に用いたラベリング方法を端末装置２Ａに通知することが可能となるから、該ラベリング方法の通知に係るオーバーヘッドを抑圧することが可能となる。さもなければ、基地局装置１Ａは、再送のＰＤＳＣＨ１に用いたラベリング方法を、端末装置２Ａに明示的にシグナリングする（例えば、基地局装置１Ａは、新たな制御情報を端末装置２Ａに通知する）必要があるから、オーバーヘッドが増加してしまう。
【０１４８】
また、基地局装置１Ａは、非直交多重してＰＤＳＣＨ１を送信した端末装置２Ａから、該ＰＤＳＣＨ１に対する再送要求を受信し、該ＰＤＳＣＨ１と同じＲＶが設定されたＰＤＳＣＨ１を直交多重して再送する場合、基地局装置１Ａは、非直交多重して送信したＰＤＳＣＨ１を含む複合ビットを変調シンボルにマッピングするのに用いたラベリング方法を、直交多重により再送するＰＤＳＣＨ１の変調シンボルへのマッピングに用いることができる。このように制御することで、端末装置２Ａは、自装置宛てに直交多重により再送されたＰＤＳＣＨ１と、既に受信済みの非直交多重により送信されたＰＤＳＣＨ１をチェイス合成することが可能となる。なお、基地局装置１Ａは、初送のＰＤＳＣＨ１のＲＶと、再送のＰＤＳＣＨ１のＲＶが一致していなくても良い。このことを言い換えると、基地局装置１Ａは、初送のＰＤＳＣＨ１と再送のＰＤＳＣＨ１の多重状態（非直交多重か直交多重）が異なっていても、初送のＰＤＳＣＨ１を変調シンボルに変調するのに用いたラベリング方法を、再送のＰＤＳＣＨ１を変調シンボルに変調する際にも用いるとも言える。よって、基地局装置１Ａは、直交多重してＰＤＳＣＨ１を送信した端末装置２Ａに対して、非直交多重により該ＰＤＳＣＨ１を再送する場合、基地局装置１Ａは、直交多重して送信した初送のＰＤＳＣＨ１を変調するのに用いたラベリング方法を、非直交多重により送信する再送のＰＤＳＣＨ１の変調に用いることができる。
【０１４９】
また、基地局装置１Ａは、初送のＰＤＳＣＨ１と同じＲＶが設定された再送のＰＤＳＣＨ１を端末装置２Ａに送信する場合に、初送のＰＤＳＣＨ１に用いたラベリングと異なるラベリング方法を再送のＰＤＳＣＨ１に用いることができる。例えば、基地局装置１Ａは、初送のＰＤＳＣＨ１のラベリングに、図９に示したラベリングを用いた場合、再送のＰＤＳＣＨ１には、図１０に示したラベリングを用いることができる。更に、基地局装置１Ａは、初送もしくは再送のＰＤＳＣＨ１のラベリング方法として、端末装置２Ｂ宛ての送信ビットに基づかないラベリング方法を用いても良い。
【０１５０】
また、基地局装置１Ａは、初送のＰＤＳＣＨ１と再送のＰＤＳＣＨ１に、同じラベリング方法を適用する一方で、再送のＰＤＳＣＨ１の送信電力の値を、初送のＰＤＳＣＨ１の送信電力とは異なる値としてもよい。このとき、基地局装置１Ａは、再送のＰＤＳＣＨ１を送信する際に、ＰＤＣＣＨ等で送信する制御情報に、再送のＰＤＳＣＨ１の送信電力に関する情報を含めることができる。例えば、基地局装置１Ａは、再送のＰＤＳＣＨ１の送信電力の値を制御情報に含めても良いし、再送のＰＤＳＣＨ１の送信電力と、初送のＰＤＳＣＨ１の送信電力との差分値を制御情報に含めてもよい。
【０１５１】
本実施形態に係る端末装置２Ａの信号検出部２０４３は、基地局装置１Ａが自端末装置宛てに送信した再送信号に関して、自端末装置宛てに通知されたＲＶに基づいて、基地局装置１Ａが自端末装置宛ての送信ビットを含む複合ビットを変調シンボルに変調するのに用いたラベリング方法を取得することができる。信号検出部２０４３は、自端末装置宛てに送信された再送のＰＤＳＣＨ１に設定されたＲＶが、対応する初送のＰＤＳＣＨ１に設定されたＲＶと同じであった場合、基地局装置１Ａが、再送のＰＤＳＣＨ１を含む複合ビットを変調シンボルに変調するのに用いたラベリング方法は、初送のＰＤＳＣＨ１を含む複合ビットを変調シンボルに変調するのに用いたラベリング方法であると解釈し、初送のＰＤＳＣＨ１と、再送のＰＤＳＣＨ１を適切にパケット合成することができるから、受信品質を改善することができる。
【０１５２】
また、端末装置２Ａは、再送のＰＤＳＣＨ１に設定されたＲＶを取得することで、基地局装置１Ａが該再送のＰＤＳＣＨ１に適用したラベリング方法を取得することができる。よって、基地局装置１Ａは、端末装置２Ａに、該再送のＰＤＳＣＨ１に適用したラベリング方法を端末装置２Ａに明示的にシグナリングする必要がなくなるから、オーバーヘッドを抑圧することができる。
【０１５３】
また、端末装置２Ａは、自端末装置宛てのＰＤＳＣＨ１を、基地局装置１Ａが複合ビットに含めているか（すなわち、他端末装置宛てのＰＤＳＣＨ２と非直交多重しているか）、複合ビットに含めていないか（すなわち、他端末装置宛てのＰＤＳＣＨ２と直交多重しているか）、を基地局装置１Ａからのシグナリング、もしくはブラインド検出によって把握することができる。このとき、初送のＰＤＳＣＨ１が複合ビットに含まれており、再送のＰＤＳＣＨ１が複合ビットに含まれておらず、そしてそれぞれが同じＲＶに設定されていると端末装置２Ａが解釈している場合、信号検出部２０４３は、初送のＰＤＳＣＨ１と再送のＰＤＳＣＨ１には同じラベリング適用されていると解釈し、信号検出処理（例えば、チェイス合成）を行なうことができる。
【０１５４】
［３．全実施形態共通］
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１５５】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【０１５６】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１５７】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０１５８】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１５９】
本発明は、基地局装置、端末装置および通信方法に用いて好適である。
【符号の説明】
【０１６０】
１Ａ  基地局装置
２、２Ａ、２Ｂ  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
３０１  ターボ符号化部
３０２−１、３０２−２、３０２−３  インターリーブ部
３０３  ビット選択部
【図１】
2018064127.tif 000003
【図２】
2018064127.tif 000004
【図３】
2018064127.tif 000005
【図４】
2018064127.tif 000006
【図５】
2018064127.tif 000007
【図６】
2018064127.tif 000008
【図７】
2018064127.tif 000009
【図８】
2018064127.tif 000010
【図９】
2018064127.tif 000011
【図１０】
2018064127.tif 000012
【図１１】
2018064127.tif 000013
【図１２】
2018064127.tif 000014